(57)【要約】【課題】摩耗粉が、回転羽根部材と軸部材の間の摺動部に入り込むことがなく、耐久性、作動性に優れ、異音が発生することがなく、静音性に優れるとともに、所期の目的とするポンプ性能を保持することが可能な遠心ポンプを提供する。【解決手段】回転羽根部材１２と、回転羽根部材１２を収容する本体ケース３４と、回転羽根部材１２を回転させるコイル部と、本体ケース３４に設けられ、回転羽根部材１２がその周囲を回転するように軸支される軸部材６４と、軸部材６４のロータマグネット３２側端部を固定する軸固定部材６０と、回転羽根部材１２と軸固定部材６０との間に介装されたスラストワッシャー５０とを備えた遠心ポンプ１０であって、スラストワッシャー５０の内径側が、軸部材６４と接触し摩耗損傷するのを防止する接触防止機構７８（１３、１５、１７）を備える。【選択図】図３
2017106398.tif 000002
【特許請求の範囲】
【請求項１】
羽根車部材と羽根車部材に設けられたロータマグネットとから構成される回転羽根部材と、
前記回転羽根部材を収容する本体ケースと、
前記ロータマグネットの周囲に位置するように配置され、回転羽根部材を回転させるコイル部と、
前記本体ケースに設けられ、回転羽根部材がその周囲を回転するように軸支される軸部材と、
前記軸部材の軸方向の端部に配置され、軸部材の端部を固定する軸固定部材と、
前記回転羽根部材と軸固定部材との間に介装されたスラストワッシャーと、
を備えた遠心ポンプであって、
前記スラストワッシャーの内径側が、軸部材と接触し摩耗損傷するのを防止する接触防止機構を備えることを特徴とする遠心ポンプ。
【請求項２】
前記接触防止機構が、
前記スラストワッシャーを嵌合する嵌合用凹部を備え、
前記嵌合用凹部の内径をＤ１、スラストワッシャーの外径をＤ２、スラストワッシャーの内径をＤ３、軸部材の外径をＤ４とした時に、
前記スラストワッシャーの外周壁と嵌合用凹部の内周壁との間の間隙Ｌ１（Ｄ１−Ｄ２）と、
前記スラストワッシャーの内周壁と軸部材の外周壁との間の間隙Ｌ２（Ｄ３−Ｄ４）との関係が、
Ｌ１＜Ｌ２の関係となるように設定されていることを特徴とする請求項１に記載の遠心ポンプ。
【請求項３】
前記嵌合用凹部が、軸固定部材に設けられていることを特徴とする請求項２に記載の遠心ポンプ。
【請求項４】
前記嵌合用凹部が、回転羽根部材に設けられていることを特徴とする請求項２に記載の遠心ポンプ。
【請求項５】
前記接触防止機構が、スラストワッシャーの外径側において、スラストワッシャーの外周壁から軸方向に突設するように延設され、スラストワッシャーを固定する突設係止片であることを特徴とする請求項１に記載の遠心ポンプ。
【請求項６】
前記突設係止片が、スラストワッシャーの外周壁から、軸方向に軸固定部材側に突設され、軸固定部材に係止するように構成されていることを特徴とする請求項５に記載の遠心ポンプ。
【請求項７】
前記突設係止片が、スラストワッシャーの外周壁から、軸方向に回転羽根部材側に突設され、回転羽根部材に係止するように構成されていることを特徴とする請求項５に記載の遠心ポンプ。
【請求項８】
前記接触防止機構が、スラストワッシャーの内径側において、軸方向に突設するように形成され、スラストワッシャーを固定する突設係止部であることを特徴とする請求項１に記載の遠心ポンプ。
【請求項９】
前記突設係止部が、スラストワッシャーの内径側から軸方向に、軸固定部材から突設された突設係止部から構成されていることを特徴とする請求項８に記載の遠心ポンプ。
【請求項１０】
前記突設係止部が、スラストワッシャーの内径側から軸方向に、回転羽根部材から突設された突設係止部から構成されていることを特徴とする請求項８に記載の遠心ポンプ。
【請求項１１】
前記接触防止機構が、スラストワッシャーの内径側を軸部材に直接固定係止する固定係止手段であることを特徴とする遠心ポンプ。
【請求項１２】
前記スラストワッシャーが、摺動性物質を含むことを特徴とする請求項１から１１のいずれかに記載の遠心ポンプ。
【請求項１３】
請求項１から１２のいずれかに記載の遠心ポンプを用いた冷却システムであって、
被冷却物体を冷却するための熱媒体循環経路を備えた冷却システムにおいて、熱媒体循環経路に遠心ポンプを配設したことを特徴とする遠心ポンプを用いた冷却システム。
【発明の詳細な説明】
【技術分野】
【０００１】
本発明は、例えば、エアコン、冷凍機などの冷媒循環回路に用いられる冷媒、発熱する部品や機器などの冷却循環回路に用いられる冷却水など、閉回路内で流体を循環させるための遠心ポンプ、および、遠心ポンプを用いた冷却システムに関する。
【背景技術】
【０００２】
図１２は、このような従来の遠心ポンプの縦断面図、図１３は、図１２のＤ部分の部分拡大断面図、図１４は、従来の遠心ポンプの課題を示す図１３と同様な部分拡大断面図を示している。
【０００３】
図１２に示したように、従来の遠心ポンプ１００は、回転羽根部材１０２を備えている。この回転羽根部材１０２は、円管状の軸受け部１０４の上部に、外周方向に放射状に延設された複数枚の羽根車部材１０６を備えている。
【０００４】
なお、本明細書中、「上側」、「上部」、「上方」、「下側」、「下部」、「下方」などの上下方向を示す用語は、各図面において、上下方向を示すものであり、各部材の相対的な位置関係を示すものであって、絶対的な位置関係を示すものではない。
【０００５】
羽根車部材１０６は、軸受け部１０４の下部外周方向に延設された基端部分１０８と、この基端部分１０８から上方に外周方向に拡径した拡径部１１０と、この拡径部１１０から外周方向に延設された外側羽根部１１２とから構成されている。
【０００６】
また、回転羽根部材１０２は、基端部分１０８の外周に、環状の永久磁石からなるロータマグネット１２２が設けられている。
【０００７】
なお、ロータマグネット１２２と羽根車部材１０６との間は、羽根車部材１０６に対して、ロータマグネット１２２の回り止め、抜け落ちが防止される構造となっており、羽根車部材１０６がロータマグネット１２２とともに、軸部材１５４の周りを回転するように構成されている。
【０００８】
さらに、従来の遠心ポンプ１００は、図１２に示したように、回転羽根部材１０２を収容する本体ケース１２４を備えている。本体ケース１２４は、上側本体ケース１２６を備えており、上側本体ケース１２６は、頂壁１２８と、頂壁１２８の外周から下方に延設された側周壁１３０とから構成されている。
【０００９】
上側本体ケース１２６の側周壁１３０には、吸込側継手部材（吸い込み側導管）１３２が、密封状態で固着されている。これにより、本体ケース１２４内に、吸込側継手部材１３２が連通するように構成されている。
【００１０】
また、上側本体ケース１２６の側周壁１３０には、吸込側継手部材１３２と対向するように、吐出側継手部材１３６が、密封状態で固着されている。これにより、本体ケース１２４内に、吐出側継手部材１３６が連通するように構成されている。
【００１１】
また、図１２に示したように、本体ケース１２４は、下側本体ケース（ロータケース）１３８を備えている。そして、上側本体ケース１２６の側周壁１３０の下端１４１の内壁に、下側本体ケース１３８の外周フランジ１４２が密封状態で固着されている。これにより、本体ケース１２４内に、上側本体ケース１２６と下側本体ケース１３８で囲まれた内部空間Ｓ１が形成されている。
【００１２】
この下側本体ケース１３８は、図１２に示したように、下側本体ケース１３８の外周フランジ１４２から、内周側に延びた羽根収容部１４４と、この羽根収容部１４４から下方に延びたロータマグネット収容部１４６とを備えている。さらに、このロータマグネット収容部１４６の下方に、有底筒状の軸固定部材収容部１４８が形成されている。
【００１３】
そして、軸固定部材収容部１４８に、軸固定部材１５０が、例えば、圧入などによって嵌着されている。この軸固定部材１５０に形成された軸穴１５２に、軸部材１５４の下端部１５６が、軸支されるように固定されている。
【００１４】
また、この回転羽根部材１０２の軸受け部１０４内に、回転羽根部材１０２が回転できるように軸部材１５４が挿通されている。
【００１５】
さらに、本体ケース１２４は、羽根ケース１５８を備えている。この羽根ケース１５８は、吸込側継手部材１３２側において、この羽根ケース１５８の外周フランジ１６０が、上側本体ケース１２６の側周壁１３０の下方に、密封状態で固着されている。
【００１６】
すなわち、羽根ケース１５８の外周フランジ１６０が、上側本体ケース１２６の側周壁１３０の下端１４１の内壁と、下側本体ケース１３８の外周フランジ１４２との間に挟着されるように、密封状態で固着されている。
【００１７】
一方、羽根ケース１５８は、吐出側継手部材１３６側において、その側周壁１６２に開口部が形成され、この側周壁１６２の開口部の周囲が、本体ケース１２４の側周壁１３０に、吐出側継手部材１３６とともに、密封状態で固着されている。
【００１８】
また、羽根ケース１５８は、外周フランジ１６０から上方に延びた側周壁１６２と、側周壁１６２から、羽根車部材１０６の外側羽根部１１２に沿うように水平方向内側に延設された延設部１６４を備えている。
【００１９】
このような形状とすることで、羽根ケース１５８と下側本体ケース１３８の羽根収容部１４４との間に、羽根車部材１０６を収容することができるようになっている。
【００２０】
また、羽根ケース１５８によって、上側本体ケース１２６と下側本体ケース１３８とで形成された内部空間Ｓ１が仕切られて、上方に流体導入流路１７４が形成されるとともに、下方に回転羽根部材１０２を収容する回転部収容空間Ｓ２が形成されている。
【００２１】
また、図１２に示したように、従来の遠心ポンプ１００は、ロータマグネット１２２の周囲に位置するように、下側本体ケース１３８のロータマグネット収容部１４６の外周に配置され、回転羽根部材１０２を回転させるコイル部２０４を備えている。コイル部２０４は、ボビンケース２０６に巻かれた巻線２０８から構成される複数個のコイル２１０が、周方向に一定間隔で離間して設けられている。
【００２２】
そして、これらのコイル２１０が、略円筒形状のコイルカバー本体２１４の内部において、本体ケース１２４の下側本体ケース１３８のロータマグネット収容部１４６の外周に嵌合するように装着されている、
【００２３】
なお、図１２に示したように、本体ケース側固定金具１８６と、コイル側固定突出部２１６とを係合することによって、コイル部２０４を収容したコイルカバー本体２１４を、本体ケース１２４の下方に脱着自在に取り付けることができるように構成されている。
【００２４】
なお、図１２中、符号２２６は、コネクタ、２２８は、リード線を示している。
【００２５】
このように構成される従来の遠心ポンプ１００では、コイル部２０４のコイル２１０に電流を流すことによって、コイル２１０が励磁され、これにより、回転羽根部材１０２のロータマグネット１２２に作用して、回転羽根部材１０２が軸受け部１０４に挿通された軸部材１５４の周りで回転できるようになっている。
【００２６】
これにより、吸込側継手部材１３２から吸い込まれた流体が、羽根ケース１５８と上側本体ケース１２６によって形成された流体導入流路１７４から、羽根ケース１５８の延設部１６４の内周側開口部１６４ａを通過する。そして、内周側開口部１６４ａを通過した流体は、羽根ケース１５８と下側本体ケース１３８によって形成された回転部収容空間Ｓ２に導入されるようになっている。
【００２７】
また、回転羽根部材１０２の羽根車部材１０６の回転力によって、回転部収容空間Ｓ２に導入された流体は、本体ケース１２４の回転部収容空間Ｓ２から、吐出側継手部材１３６を介して吐出されるようになっている。
【先行技術文献】
【特許文献】
【００２８】
【特許文献１】特開平１０−９１８５号公報
【特許文献２】特開２０１４−１４１９１３号公報
【発明の概要】
【発明が解決しようとする課題】
【００２９】
ところで、このような従来の遠心ポンプ１００では、回転羽根部材１０２と軸部材１５４との回転摺動による摩耗や接触音を防止するために、図１２、図１３に示したように、回転羽根部材１０２の下端部１０２ａと、軸固定部材１５０の上端部１５０ａとの間の軸部材１５４の周囲に、スラストワッシャー２３０が介装されている。
【００３０】
すなわち、スラストワッシャー２３０を介装することによって、回転羽根部材１０２（軸受け部１０４）と軸部材１５４の２部材の間の動摩擦を緩和している。このように動摩擦を緩和することによって、回転羽根部材１０２（軸受け部１０４）と軸部材１５４との間の摩耗による異物の発生や接触音の発生を防いでいる。
【００３１】
さらに、スラストワッシャー２３０には、回転羽根部材１０２に発生するスラスト方向(すなわち、回転軸である軸部材（シャフト）１５４に向かう方向)の力を緩和する効果もあり、回転羽根部材１０２（軸受け部１０４）と、回転軸である軸部材１５４との間の摩耗を防ぐ作用がある。
【００３２】
ところで、このような従来の遠心ポンプ１００は、例えば、流体の循環を利用して発熱部品、機器などの冷却を補助するシステムに使用され、組込むシステムの用途によっては、産業工業用だけでなく、家庭用機器（家電）にも使用される場合がある。
【００３３】
近年、家庭用機器は、小型化、静音化が進んでおり、これを実現するために、流体循環を行うポンプについても同様な仕様が求められている。
【００３４】
また、純度の高い流体の循環を目的としたポンプは、高気密性、耐食性などが要求されるとともに、製作時、使用時において、内部の残渣、異物の侵入は許されない。
【００３５】
ところで、図１３、図１４に示したように、従来の遠心ポンプ１００では、遠心ポンプ１００の構造上、回転羽根部材１０２は、スラストワッシャー２３０上を回転摺動するように構成されている。
【００３６】
しかしながら、図１４に示したように、回転羽根部材１０２が揺動することにより、僅かにスラストワッシャー２３０が動くことがある。これにより、固定軸である軸部材（シャフト）１５４に、図１４の矢印Ｂで示したように、スラストワッシャー２３０の内径側２３０ａが、軸部材１５４の外周壁１５４ｂに接触することがある。
【００３７】
このため、長期作動時において、摩耗や、接触音などが発生するおそれがある。特に、スラストワッシャー２３０が、例えば、金属製の場合には、特に、金属は、摩擦係数が大きいため摩耗しやすく、金属接触によって生じる摩耗粉は、回転羽根部材１０２と軸部材（シャフト）１５４の間の摺動部に入り込むと、耐久性、作動性を害するおそれがあるとともに、異音の発生にもつながることになる。
【００３８】
そのため、できるだけ、このような摩耗粉、特に、金属摩耗粉などの異物発生を抑制しなければならない。
【００３９】
本発明は、このような現状に鑑み、スラストワッシャーの内径側が、軸部材と接触せず、摩耗損傷するのを防止することができ、しかも、摩耗粉の発生を抑制することができ、摩耗粉が、回転羽根部材と軸部材（シャフト）の間の摺動部に入り込むことがなく、耐久性、作動性に優れ、異音が発生することがなく、静音性に優れるとともに、所期の目的とするポンプ性能を保持することが可能な遠心ポンプを提供することを目的とする。
【課題を解決するための手段】
【００４０】
本発明は、前述したような従来技術における課題及び目的を達成するために発明されたものであって、本発明の遠心ポンプは、
羽根車部材と羽根車部材に設けられたロータマグネットとから構成される回転羽根部材と、
前記回転羽根部材を収容する本体ケースと、
前記ロータマグネットの周囲に位置するように配置され、回転羽根部材を回転させるコイル部と、
前記本体ケースに設けられ、回転羽根部材がその周囲を回転するように軸支される軸部材と、
前記軸部材の軸方向の端部に配置され、軸部材の端部を固定する軸固定部材と、
前記回転羽根部材と軸固定部材との間に介装されたスラストワッシャーと、
を備えた遠心ポンプであって、
前記スラストワッシャーの内径側が、軸部材と接触し摩耗損傷するのを防止する接触防止機構を備えることを特徴とする。
【００４１】
このように構成することによって、接触防止機構によってスラストワッシャーの内径側が、軸部材と接触し摩耗損傷するのを防止することができる。
【００４２】
このため、スラストワッシャーの内径側が、軸部材と接触せず、摩耗損傷するのを防止することができ、しかも、摩耗粉の発生を抑制することができる。
【００４３】
また、摩耗粉が、回転羽根部材と軸部材（シャフト）の間の摺動部に入り込むことがなく、耐久性、作動性、に優れ、異音が発生することがなく、静音性に優れるとともに、所期の目的とするポンプ性能を保持することが可能である。
【００４４】
また、本発明の遠心ポンプは、
前記接触防止機構が、
前記スラストワッシャーを嵌合する嵌合用凹部を備え、
前記嵌合用凹部の内径をＤ１、スラストワッシャーの外径をＤ２、スラストワッシャーの内径をＤ３、軸部材の外径をＤ４とした時に、
前記スラストワッシャーの外周壁と嵌合用凹部の内周壁との間の間隙Ｌ１（Ｄ１−Ｄ２）と、
前記スラストワッシャーの内周壁と軸部材の外周壁との間の間隙Ｌ２（Ｄ３−Ｄ４）との関係が、
Ｌ１＜Ｌ２の関係となるように設定されていることを特徴とする。
【００４５】
このように構成することによって、スラストワッシャーの外周壁と嵌合用凹部の内周壁との間の間隙Ｌ１（Ｄ１−Ｄ２）と、スラストワッシャーの内周壁と軸部材の外周壁との間の間隙Ｌ２（Ｄ３−Ｄ４）との関係が、Ｌ１＜Ｌ２の関係となるように設定されているので、回転羽根部材が揺動することにより、僅かにスラストワッシャーが半径方向に動いたとしても、嵌合用凹部の内周壁が、ストッパーとして機能して、スラストワッシャーの内径側が、軸部材と接触しない。
【００４６】
従って、スラストワッシャーの内径側と、軸部材が摩耗損傷するのを防止することができ、摩耗粉の発生を抑制することができる。
【００４７】
また、摩耗粉が、回転羽根部材と軸部材（シャフト）の間の摺動部に入り込むことがなく、耐久性、作動性、に優れ、異音が発生することがなく、静音性に優れるとともに、所期の目的とするポンプ性能を保持することが可能である。
【００４８】
また、本発明の遠心ポンプは、前記嵌合用凹部が、軸固定部材に設けられていることを特徴とする。
【００４９】
また、本発明の遠心ポンプは、前記嵌合用凹部が、回転羽根部材に設けられていることを特徴とする。
【００５０】
このように、嵌合用凹部が、軸固定部材に設けられていても良く、また、嵌合用凹部が、回転羽根部材に設けられていても良い。
【００５１】
また、本発明の遠心ポンプは、前記接触防止機構が、スラストワッシャーの外径側において、スラストワッシャーの外周壁から軸方向に突設するように延設され、スラストワッシャーを固定する突設係止片であることを特徴とする。
【００５２】
このように構成することによって、スラストワッシャーの外径側において、スラストワッシャーの外周壁から軸方向に突設するように延設された突設係止片によって、突設係止片がストッパーとして機能して、スラストワッシャーを固定することができる。
【００５３】
従って、回転羽根部材が揺動しても、スラストワッシャーが固定され動くことがないので、スラストワッシャーの内径側が、軸部材と接触しない。
【００５４】
これにより、スラストワッシャーの内径側と、軸部材が摩耗損傷するのを防止することができ、摩耗粉の発生を抑制することができる。
【００５５】
また、摩耗粉が、回転羽根部材と軸部材（シャフト）の間の摺動部に入り込むことがなく、耐久性、作動性、に優れ、異音が発生することがなく、静音性に優れるとともに、所期の目的とするポンプ性能を保持することが可能である。
【００５６】
また、本発明の遠心ポンプは、前記突設係止片が、スラストワッシャーの外周壁から、軸方向に軸固定部材側に突設され、軸固定部材に係止するように構成されていることを特徴とする。
【００５７】
このように、突設係止片が、スラストワッシャーの外周壁から、軸方向に軸固定部材側に突設され、軸固定部材に係止するように構成されていても良い。
【００５８】
また、本発明の遠心ポンプは、前記突設係止片が、スラストワッシャーの外周壁から、軸方向に回転羽根部材側に突設され、回転羽根部材に係止するように構成されていることを特徴とする。
【００５９】
このように、突設係止片が、スラストワッシャーの外周壁から、軸方向に回転羽根部材側に突設され、回転羽根部材に係止するように構成されていても良い。
【００６０】
また、本発明の遠心ポンプは、前記接触防止機構が、スラストワッシャーの内径側において、軸方向に突設するように形成され、スラストワッシャーを固定する突設係止部であることを特徴とする。
【００６１】
このように構成することによって、スラストワッシャーの内径側において、軸方向に突設するように形成された突設係止部によって、突設係止部がストッパーとして機能して、スラストワッシャーを固定することができる。
【００６２】
従って、回転羽根部材が揺動しても、スラストワッシャーが固定され動くことがないので、スラストワッシャーの内径側が、軸部材と接触しない。
【００６３】
従って、スラストワッシャーの内径側と、軸部材が摩耗損傷するのを防止することができ、摩耗粉の発生を抑制することができる。
【００６４】
また、摩耗粉が、回転羽根部材と軸部材（シャフト）の間の摺動部に入り込むことがなく、耐久性、作動性、に優れ、異音が発生することがなく、静音性に優れるとともに、所期の目的とするポンプ性能を保持することが可能である。
【００６５】
また、本発明の遠心ポンプは、前記突設係止部が、スラストワッシャーの内径側から軸方向に、軸固定部材から突設された突設係止部から構成されていることを特徴とする。
【００６６】
このように、突設係止部が、スラストワッシャーの内径側から軸方向に、軸固定部材から突設された突設係止部から構成されていても良い。
【００６７】
また、本発明の遠心ポンプは、前記突設係止部が、スラストワッシャーの内径側から軸方向に、回転羽根部材から突設された突設係止部から構成されていることを特徴とする。
【００６８】
このように、突設係止部が、スラストワッシャーの内径側から軸方向に、回転羽根部材から突設された突設係止部から構成されていても良い。
【００６９】
また、本発明の遠心ポンプは、前記接触防止機構が、スラストワッシャーの内径側を軸部材に直接固定係止する固定係止手段であることを特徴とする。
【００７０】
このように構成することによって、固定係止手段によって、スラストワッシャーの内径側を軸部材に直接固定係止することができる。
【００７１】
従って、回転羽根部材が揺動しても、スラストワッシャーが軸部材に直接固定され動くことがないので、スラストワッシャーの内径側が、軸部材と接触しない。
【００７２】
従って、スラストワッシャーの内径側と、軸部材が摩耗損傷するのを防止することができ、摩耗粉の発生を抑制することができる。
【００７３】
また、摩耗粉が、回転羽根部材と軸部材（シャフト）の間の摺動部に入り込むことがなく、耐久性、作動性、に優れ、異音が発生することがなく、静音性に優れるとともに、所期の目的とするポンプ性能を保持することが可能である。
【００７４】
また、本発明の遠心ポンプは、前記スラストワッシャーが、摺動性物質を含むことを特徴とする。
【００７５】
このように構成することによって、スラストワッシャーの摺動性が向上して、回転羽根部材の摺動性が向上して、静音性が向上する。
【００７６】
また、スラストワッシャーの内径側と、軸部材が摩耗損傷するのを防止することができ、摩耗粉の発生を抑制することができる。
【００７７】
また、摩耗粉が、回転羽根部材と軸部材（シャフト）の間の摺動部に入り込むことがなく、耐久性、作動性、に優れ、異音が発生することがなく、静音性に優れるとともに、所期の目的とするポンプ性能を保持することが可能である。
【００７８】
また、本発明の遠心ポンプを用いた冷却システムは、
前述のいずれかに記載の遠心ポンプを用いた冷却システムであって、
被冷却物体を冷却するための熱媒体循環経路を備えた冷却システムにおいて、熱媒体循環経路に遠心ポンプを配設したことを特徴とする。
【００７９】
このように構成することによって、例えば、流体の循環を利用して発熱部品、機器などの冷却を補助するシステムに使用した場合に、耐久性、作動性に優れ、異音が発生することがなく、静音性に優れた冷却システムを提供することができる。
【発明の効果】
【００８０】
本発明によれば、接触防止機構によってスラストワッシャーの内径側が、軸部材と接触し摩耗損傷するのを防止することができる。
【００８１】
このため、スラストワッシャーの内径側が、軸部材と接触せず、摩耗損傷するのを防止することができ、しかも、摩耗粉の発生を抑制することができる。
【００８２】
また、摩耗粉が、回転羽根部材と軸部材（シャフト）の間の摺動部に入り込むことがなく、耐久性、作動性、に優れ、異音が発生することがなく、静音性に優れるとともに、所期の目的とするポンプ性能を保持することが可能である。
【図面の簡単な説明】
【００８３】
【図１】図１は、本発明の遠心ポンプの縦断面図である。
【図２】図２は、図１の遠心ポンプのＣ部分の部分拡大断面図である。
【図３】図３は、図２のの遠心ポンプの部分拡大断面図である。
【図４】図４は、本発明の遠心ポンプの別の実施例を示す図２と同様な部分拡大断面図である。
【図５】図５は、本発明の遠心ポンプの別の実施例を示す図２と同様な部分拡大断面図である。
【図６】図６は、本発明の遠心ポンプの別の実施例を示す図５と同様な部分拡大断面図である。
【図７】図７は、本発明の遠心ポンプの別の実施例を示す図２と同様な部分拡大断面図である。
【図８】図８は、本発明の遠心ポンプの別の実施例を示す図７と同様な部分拡大断面図である。
【図９】図９は、本発明の遠心ポンプの別の実施例を示す部分拡大断面図である。
【図１０】図１０は、図９の固定係止手段の実施例を示す上面図である。
【図１１】図１１は、本発明の遠心ポンプを用いた冷却システム３００実施例を示す概略図である。
【図１２】図１２は、従来の遠心ポンプの縦断面図である。
【図１３】図１３は、図１２のＤ部分の部分拡大断面図である。
【図１４】図１４は、従来の遠心ポンプの課題を示す図１３と同様な部分拡大断面図である。
【発明を実施するための形態】
【００８４】
以下、本発明の実施の形態（実施例）を図面に基づいてより詳細に説明する。
（実施例１）
【００８５】
図１は、本発明の遠心ポンプの縦断面図、図２は、図１の遠心ポンプのＣ部分の部分拡大断面図、図３は、図２のの遠心ポンプの部分拡大断面図、図４は、本発明の遠心ポンプの別の実施例を示す図２と同様な部分拡大断面図である。
【００８６】
図１においては、符号１０は、全体で本発明の遠心ポンプを示している。
【００８７】
図１に示したように、本発明の遠心ポンプ１０は、回転羽根部材１２を備えている。この回転羽根部材１２は、円管状の軸受け部１４の上部に、外周方向に放射状に延設された複数枚の羽根車部材１６を備えている。
【００８８】
なお、この羽根車部材１６の枚数は、遠心ポンプ１０の用途、必要とするポンプ能力に応じて選択すれば良く、特に限定されるものではない。
【００８９】
図１に示したように、羽根車部材１６は、軸受け部１４の下部外周方向に延設された基端部分１８と、この基端部分１８から上方に外周方向に拡径した拡径部２０と、この拡径部２０から外周方向に延設された外側羽根部２２とから構成されている。
【００９０】
羽根車部材１６の形状をこのような形状とすることで、羽根車部材１６の回転による外側羽根部２２の作用によって、吐出能力を向上することができる。
【００９１】
また、回転羽根部材１２は、基端部分１８の外周に、環状の永久磁石からなるロータマグネット３２が設けられている。
【００９２】
なお、ロータマグネット３２と羽根車部材１６との間は、羽根車部材１６に対して、ロータマグネット３２の回り止め、抜け落ちが防止される構造となっており、羽根車部材１６がロータマグネット３２とともに、軸部材６４の周りを回転するように構成されている。
【００９３】
また、本発明の遠心ポンプ１０は、図１に示したように、回転羽根部材１２を収容する本体ケース３４を備えている。本体ケース３４は、上側本体ケース３６を備えており、上側本体ケース３６は、頂壁３８と、頂壁３８の外周から下方に延設された側周壁４０とから構成されている。
【００９４】
そして、図１に示したように、上側本体ケース３６の側周壁４０には、吸込側継手部材４２を固定するための開口部が形成されている。図１に示したように、この開口部に、吸込側継手部材４２が、例えば、溶接、ろう付、溶着などによって、密封状態で固着されている。これにより、本体ケース３４内に、吸込側継手部材４２が連通するように構成されている。
【００９５】
上側本体ケース３６の側周壁４０には、吐出側継手部材４６を固定するための開口部が形成されている。
【００９６】
図１に示したように、この開口部に、吐出側継手部材４６が、例えば、溶接、ろう付、溶着などによって、密封状態で固着されている。これにより、本体ケース３４内に、吐出側継手部材４６が連通するように構成されている。
【００９７】
また、図１に示したように、本体ケース３４は、下側本体ケース４８を備えている。そして、上側本体ケース３６の側周壁４０の下端５１の内壁に、下側本体ケース４８の外周フランジ５２を、例えば、溶接、ろう付、溶着などによって、密封状態で固着されている。これにより、本体ケース３４内に、上側本体ケース３６と下側本体ケース４８で囲まれた内部空間Ｓ１が形成されている。
【００９８】
この下側本体ケース４８は、図１に示したように、下側本体ケース４８の外周フランジ５２から、内周側に水平に延びた羽根収容部５４と、この羽根収容部５４から下方に延びたロータマグネット収容部５６とを備えている。さらに、このロータマグネット収容部５６の下方に、有底筒状の軸固定部材収容部５８が形成されている。
【００９９】
そして、軸固定部材収容部５８に、軸固定部材６０が、例えば、圧入などによって嵌着されている。この軸固定部材６０に形成された軸穴６２に、軸部材６４の下端部６６が、例えば、圧入などによって軸支されるように固定されている。
【０１００】
すなわち、図１に示したように、この実施例の遠心ポンプ１０では、軸部材６４の上端部が軸支されず、軸部材６４が、本体ケース３４の軸受部材収容部５８に、軸固定部材６０を介して固定されている。すなわち、軸部材６４が、軸部材６４の軸方向のロータマグネット３２側の端部で固定されているいわゆる「片持ち形式」となっている。
【０１０１】
従って、軸部材６４が傾いて固定される場合がないので、ポンプの作動効率が低下することがなく、組み立てに細心の注意が不要で、精密性が要求されることもない。
【０１０２】
また、この実施例の遠心ポンプ１０では、羽根車部材１６の軸受け部１４の軸方向の流体導入流路８４側の端部、すなわち、軸受け部１４の上端部１４ａが、羽根ケース６８の延設部７４の内周側開口部７６から上方に、流体導入流路８４に露出するように突設されている。
従って、いわゆる「片持ち形式」であるので、従来のいわゆる「両持ち形式」のように、羽根ケースの内周側開口部に軸固定部が存在しない。
【０１０３】
これにより、流体の軸固定部への衝突に起因する流体の流れに圧力損失が生じることがなく、ポンプ効率が低下することもなく、しかも、異音などの騒音の発生もなく、耐久性、静音性に優れ、所期の目的とするポンプ性能を保持することが可能である。
【０１０４】
また、このように構成することによって、回転羽根部材１２が回転して、吸込側継手部材４２から吸い込まれた流体が、羽根ケース６８と上側本体ケース３６によって形成された流体導入流路８４から、羽根ケース６８の延設部７４の内周側開口部７６を通過する。
この際に、流体が羽根車部材１６の上端部１４ａの回転運動に沿って、この回転により回転流（整流）となる。
【０１０５】
これによって、流入孔である内周側開口部７６を介して、内部空間Ｓ１、回転部収容空間Ｓ２に円滑に流入しやすくなり、その結果、圧力損失を低減することができるように構成されている。
【０１０６】
従って、流体の流れに圧力損失が生じることがなく、ポンプ効率が低下することもなく、しかも、異音などの騒音の発生もなく、耐久性、静音性に優れ、所期の目的とするポンプ性能を保持することが可能である。
【０１０７】
また、この回転羽根部材１２の軸受け部１４内に、回転羽根部材１２が回転できるように軸部材６４が挿通されている。
【０１０８】
さらに、図１に示したように、本体ケース３４は、羽根ケース６８を備えている。この羽根ケース６８は、吸込側継手部材４２側において、この羽根ケース６８の外周フランジ７０が、上側本体ケース３６の側周壁４０の下方に、密封状態で固着されている。
【０１０９】
すなわち、羽根ケース６８の外周フランジ７０が、上側本体ケース３６の側周壁４０の下端５１の内壁と、下側本体ケース４８の外周フランジ５２との間に挟着されるように、例えば、溶接、ろう付、溶着などによって、密封状態で固着されている。
【０１１０】
一方、羽根ケース６８は、吐出側継手部材４６側において、その側周壁７２に開口部が形成され、この側周壁７２の開口部の周囲が、本体ケース３４の側周壁４０に、吐出側継手部材４６とともに、密封状態で固着されている。
【０１１１】
また、羽根ケース６８は、外周フランジ７０から上方に延びた側周壁７２と、側周壁７２から、羽根車部材１６の外側羽根部２２に沿うような形状で水平方向内側に延設された延設部７４を備えている。
【０１１２】
このような形状とすることで、羽根ケース６８と下側本体ケース４８の羽根収容部５４との間に、羽根車部材１６を収容することができるようになっている。
【０１１３】
また、図１に示したように、羽根ケース６８の側周壁７２の径は、上側本体ケース３６の側周壁４０の径より小さく形成されているとともに、羽根ケース６８の側周壁７２の高さは、上側本体ケース３６の側周壁４０の高さより小さく形成されている。
【０１１４】
これにより、羽根ケース６８によって、上側本体ケース３６と下側本体ケース４８とで形成された内部空間Ｓ１が仕切られて、上方に流体導入流路８４が形成されるとともに、下方に回転羽根部材１２を収容する回転部収容空間Ｓ２が形成されている。
【０１１５】
また、図１に示したように、本発明の遠心ポンプ１０は、ロータマグネット３２の周囲に位置するように、下側本体ケース４８のロータマグネット収容部５６の外周に配置され、回転羽根部材１２を回転させるコイル部２４を備えている。コイル部２４は、ボビンケース２６に巻かれた巻線２８から構成される複数個のコイル３０が、周方向に一定間隔で離間して設けられている。
【０１１６】
そして、これらのコイル３０が、略円筒形状のコイルカバー本体３３の内部において、本体ケース３４の下側本体ケース４８のロータマグネット収容部５６の外周に嵌合するように装着されている。
【０１１７】
なお、図１に示したように、本体ケース側固定金具９６と、コイル側固定突出部３１とを係合することによって、コイル部２４を収容したコイルカバー本体３３を、本体ケース３４の下方に脱着自在に取り付けることができるように構成されている。
【０１１８】
なお、図１中、符号３５は、コネクタ、３７は、リード線を示している。
【０１１９】
このように構成される本発明の遠心ポンプ１０は、以下のように作動される。
【０１２０】
先ず、コイル部２４のコイル３０に電流を流すことによって、コイル３０が励磁され、これにより、回転羽根部材１２のロータマグネット３２に作用して、回転羽根部材１２が軸受け部１４に挿通された軸部材６４の周りで回転できるようになっている。
【０１２１】
これにより、回転羽根部材１２が回転して、図１の矢印Ａで示したように、吸込側継手部材４２から吸い込まれた流体が、羽根ケース６８と上側本体ケース３６によって形成された流体導入流路８４から、羽根ケース６８の延設部７４の内周側開口部７６を通過する。
【０１２２】
そして、内周側開口部７６を通過した流体は、羽根ケース６８と下側本体ケース４８によって形成された回転部収容空間Ｓ２に導入される。
【０１２３】
また、回転羽根部材１２の羽根車部材１６の回転力によって、回転部収容空間Ｓ２に導入された流体は、図１の矢印Ｂで示したように、本体ケース３４の回転部収容空間Ｓ２から、吐出側継手部材４６を介して吐出されるようになっている。
【０１２４】
ところで、このような本発明の遠心ポンプ１０では、回転羽根部材１２と軸部材６４との回転摺動による摩耗や接触音を防止するために、図１〜図３に示したように、回転羽根部材１２の下端部１２ａと、軸固定部材６０の上端部６０ａとの間の軸部材６４の周囲に、スラストワッシャー５０が介装されている。
【０１２５】
すなわち、スラストワッシャー５０を介装することによって、回転羽根部材１２（軸受け部１４）と軸部材６４の２部材の間の動摩擦を緩和している。このように動摩擦を緩和することによって、回転羽根部材１２（軸受け部１４）と軸部材６４との間の摩耗による異物の発生や接触音の発生を防いでいる。
【０１２６】
さらに、スラストワッシャー５０には、回転羽根部材１２に発生するスラスト方向(すなわち、回転軸である軸部材（シャフト）６４に向かう方向)の力を緩和する効果もあり、回転羽根部材１２（軸受け部１４）と、回転軸である軸部材６４との間の摩耗を防ぐ作用がある。
【０１２７】
ところで、図１３、図１４に示したように、従来の遠心ポンプ１００では、遠心ポンプ１００の構造上、回転羽根部材１０２は、スラストワッシャー２３０上を回転摺動するように構成されている。
【０１２８】
しかしながら、図１４に示したように、回転羽根部材１０２が揺動することにより、僅かにスラストワッシャー２３０が動くことがある。これにより、固定軸である軸部材（シャフト）１５４に、図１４の矢印Ｂで示したように、スラストワッシャー２３０の内径側２３０ａが、接触することがある。
【０１２９】
このため、長期作動時において、摩耗や、接触音などが発生するおそれがある。特に、スラストワッシャー２３０が、例えば、金属製の場合には、特に、金属は、摩擦係数が大きいため摩耗しやすく、金属接触によって生じる摩耗粉は、回転羽根部材１０２と軸部材（シャフト）１５４の間の摺動部に入り込むと、耐久性、作動性を害するおそれがあるとともに、異音の発生にもつながることになる。
【０１３０】
そのため、できるだけ、このような摩耗粉、特に、金属摩耗粉などの異物発生を抑制しなければならない。
【０１３１】
このため、本発明の遠心ポンプ１０では、スラストワッシャー５０の内径側５０ａが、軸部材６４と接触し摩耗損傷するのを防止する接触防止機構７８を備えている。
【０１３２】
すなわち、この実施例の遠心ポンプでは、図２、図３に示したように、接触防止機構７８として、スラストワッシャー５０を嵌合する嵌合用凹部８０を備えている。この実施例の場合には、この嵌合用凹部８０が、軸固定部材６０の上端に設けられている。
【０１３３】
そして、図３に示したように、嵌合用凹部８０の内径をＤ１、スラストワッシャー５０の外径をＤ２、スラストワッシャー５０の内径をＤ３、軸部材６４の外径をＤ４とした時に、
スラストワッシャー５０の外周壁５０ａと嵌合用凹部８０の内周壁８０ａとの間の間隙Ｌ１（Ｄ１−Ｄ２）と、
スラストワッシャー５０の内周壁５０ｂと軸部材６４の外周壁６４ｂとの間の間隙Ｌ２（Ｄ３−Ｄ４）との関係が、
Ｌ１＜Ｌ２の関係となるように設定されている。
【０１３４】
このように構成することによって、スラストワッシャー５０の外周壁５０ａと嵌合用凹部８０の内周壁８０ａとの間の間隙Ｌ１（Ｄ１−Ｄ２）と、スラストワッシャー５０の内周壁５０ｂと軸部材６４の外周壁６４ｂとの間の間隙Ｌ２（Ｄ３−Ｄ４）との関係が、Ｌ１＜Ｌ２の関係となるように設定されているので、回転羽根部材１２が揺動することにより、僅かにスラストワッシャー５０が半径方向に動いたとしても、嵌合用凹部８０の内周壁８０ａが、ストッパーとして機能して、スラストワッシャー５０の内径側（内周壁５０ｂ）が、軸部材６４（外周壁６４ｂ）と接触しない。
【０１３５】
従って、スラストワッシャー５０の内径側（内周壁５０ｂ）と、軸部材６４（外周壁６４ｂ）が摩耗損傷するのを防止することができ、摩耗粉の発生を抑制することができる。
【０１３６】
また、摩耗粉が、回転羽根部材１２と軸部材６４（シャフト）の間の摺動部に入り込むことがなく、耐久性、作動性、に優れ、異音が発生することがなく、静音性に優れるとともに、所期の目的とするポンプ性能を保持することが可能である。
【０１３７】
なお、この実施例では、嵌合用凹部８０の内周壁８０ａを全周に形成したが、図示しないが、部分的に形成することも可能である。
【０１３８】
また、嵌合用凹部８０の深さは、特に限定されるものではないが、スラストワッシャー５０の厚さと略同一にするのが、嵌合用凹部８０の内周壁８０ａが、ストッパーとして機能して、スラストワッシャー５０の内径側（内周壁５０ｂ）が、軸部材６４（外周壁６４ｂ）と接触しないようにするためには望ましい（図４の実施例においても同様である）。
【０１３９】
また、この実施例では、嵌合用凹部８０が、軸固定部材６０の上端に設けられているが、図４の実施例に示したように、嵌合用凹部８０を、回転羽根部材１２の下端に形成しても良い。
【０１４０】
この場合にも、嵌合用凹部８０の内周壁８０ａを全周に形成したが、図示しないが、部分的に形成することも可能である。
（実施例２）
【０１４１】
図５は、本発明の遠心ポンプの別の実施例を示す図２と同様な部分拡大断面図、図６は、本発明の遠心ポンプの別の実施例を示す図５と同様な部分拡大断面図である。
【０１４２】
この実施例の遠心ポンプ１０は、図１〜図４に示した実施例１の遠心ポンプ１０と基本的には同様な構成であり、同一の構成部材には、同一の参照番号を付して、その詳細な説明を省略する。
【０１４３】
この実施例の遠心ポンプ１０では、図５に示したように、接触防止機構７８として、スラストワッシャー５０の外径側において、スラストワッシャー５０の外周壁５０ａから軸方向に軸固定部材６０側に突設するように延設され、スラストワッシャー５０を軸固定部材６０の外周６０ｂに固定する突設係止片８６が設けられている。
【０１４４】
このように構成することによって、スラストワッシャー５０の外径側において、スラストワッシャー５０の外周壁５０ａから軸方向に突設するように延設された突設係止片８６によって、突設係止片８６がストッパーとして機能して、スラストワッシャー５０を固定することができる。
【０１４５】
従って、回転羽根部材１２が揺動しても、スラストワッシャー５０が固定され動くことがないので、スラストワッシャー５０の内径側（内周壁５０ｂ）が、軸部材６４（外周壁６４ｂ）と接触しない。
【０１４６】
これにより、スラストワッシャー５０の内径側（内周壁５０ｂ）と、軸部材６４（外周壁６４ｂ）が摩耗損傷するのを防止することができ、摩耗粉の発生を抑制することができる。
【０１４７】
また、摩耗粉が、回転羽根部材１０２と軸部材（シャフト）６４の間の摺動部に入り込むことがなく、耐久性、作動性、に優れ、異音が発生することがなく、静音性に優れるとともに、所期の目的とするポンプ性能を保持することが可能である。
【０１４８】
なお、この実施例では、突設係止片８６を全周に形成したが、図示しないが、部分的に形成することも可能である。
【０１４９】
また、突設係止片８６の突設長さは、特に限定されるものではないが、少なくとも、スラストワッシャー５０の厚さと略同一以上にするのが、突設係止片８６が、ストッパーとして機能して、スラストワッシャー５０の内径側（内周壁５０ｂ）が、軸部材６４（外周壁６４ｂ）と接触しないようにするためには望ましい（図６の実施例においても同様である）。
【０１５０】
また、この実施例では、突設係止片８６が、スラストワッシャー５０の外周壁５０ａから軸方向に軸固定部材６０側に突設するように延設され、スラストワッシャー５０を軸固定部材６０の外周６０ｂに固定する突設係止片８６とした。
【０１５１】
しかしながら、図６の実施例に示したように、突設係止片８６を、スラストワッシャー５０の外周壁５０ａから、軸方向に回転羽根部材１２側に突設され、回転羽根部材１２の下端部１２ａの外周１２ｂに係止するように構成しても良い。
【０１５２】
この場合にも、突設係止片８６を全周に形成したが、図示しないが、部分的に形成することも可能である。
（実施例３）
【０１５３】
図７は、本発明の遠心ポンプの別の実施例を示す図２と同様な部分拡大断面図、図８は、本発明の遠心ポンプの別の実施例を示す図７と同様な部分拡大断面図である。
【０１５４】
この実施例の遠心ポンプ１０は、図１〜図２に示した実施例１の遠心ポンプ１０と基本的には同様な構成であり、同一の構成部材には、同一の参照番号を付して、その詳細な説明を省略する。
【０１５５】
この実施例の遠心ポンプ１０では、図７に示したように、接触防止機構７８として、スラストワッシャー５０の内径側において、スラストワッシャー５０の内径側（内周壁５０ｂ）から軸方向に、軸固定部材６０から突設された突設係止部８８から構成されている。
【０１５６】
このように構成することによって、スラストワッシャー５０の内径側において、軸固定部材６０から軸方向に突設するように形成された突設係止部８８によって、突設係止部８８がストッパーとして機能して、スラストワッシャー５０を固定することができる。
【０１５７】
従って、回転羽根部材１２が揺動しても、スラストワッシャー５０が固定され動くことがないので、スラストワッシャー５０の内径側（内周壁５０ｂ）が、軸部材６４（外周壁６４ｂ）と接触しない。
【０１５８】
従って、スラストワッシャー５０の内径側（内周壁５０ｂ）と、軸部材６４（外周壁６４ｂ）が摩耗損傷するのを防止することができ、摩耗粉の発生を抑制することができる。
【０１５９】
また、摩耗粉が、回転羽根部材１２と軸部材（シャフト）６４の間の摺動部に入り込むことがなく、耐久性、作動性、に優れ、異音が発生することがなく、静音性に優れるとともに、所期の目的とするポンプ性能を保持することが可能である。
【０１６０】
なお、この実施例では、突設係止部８８を全周に形成したが、図示しないが、部分的に形成することも可能である。
【０１６１】
また、突設係止部８８の突設高さは、特に限定されるものではないが、少なくとも、スラストワッシャー５０の厚さと略同一以下の突設高さにするのが、突設係止部８８が、ストッパーとして機能して、スラストワッシャー５０の内径側（内周壁５０ｂ）が、軸部材６４（外周壁６４ｂ）と接触しないようにするため、また、スラストワッシャー５０のスラスト機能を損なわないためには望ましい（図８の実施例においても同様である）。
【０１６２】
また、この実施例では、スラストワッシャー５０の内径側において、スラストワッシャー５０の内径側から軸方向に、軸固定部材６０から突設された突設係止部８８から構成している。
【０１６３】
しかしながら、図８に示したように、突設係止部８８を、スラストワッシャー５０の内径側（内周壁５０ｂ）から軸方向に、回転羽根部材１２から突設された突設係止部８８から構成しても良い。
【０１６４】
この場合にも、突設係止部８８を全周に形成したが、図示しないが、部分的に形成することも可能である。
（実施例４）
【０１６５】
図９は、本発明の遠心ポンプの別の実施例を示す部分拡大断面図、図１０は、図９の固定係止手段の実施例を示す上面図である。
【０１６６】
この実施例の遠心ポンプ１０は、図１〜図２に示した実施例１の遠心ポンプ１０と基本的には同様な構成であり、同一の構成部材には、同一の参照番号を付して、その詳細な説明を省略する。
【０１６７】
この実施例の遠心ポンプ１０は、図９に示したように、接触防止機構７８として、スラストワッシャー５０の内径側（内周壁５０ｂ）を、軸部材６４（外周壁６４ｂ）に直接固定係止する固定係止手段９０を備えている。
【０１６８】
すなわち、図９、図１０に示したように、固定係止手段９０として、軸部材６４の外周壁６４ｂに、固定用溝６４ｃが形成されており、スラストワッシャー５０として、スナップリング、例えば、Ｃリング５０ｃを、この固定用溝６４ｃに嵌着することによって、スラストワッシャー５０の内径側（内周壁５０ｂ）を、軸部材６４（外周壁６４ｂ）に直接固定係止するように構成している。
【０１６９】
なお、この場合、スラストワッシャー５０を、固定用溝６４ｃに圧入するよう比しても良い。
【０１７０】
このように構成することによって、、固定係止手段９０によって、スラストワッシャー５０の内径側（内周壁５０ｂ）を、軸部材６４（外周壁６４ｂ）に直接固定係止することができる。
【０１７１】
従って、回転羽根部材１２が揺動しても、スラストワッシャー５０が軸部材６４に直接固定され動くことがないので、スラストワッシャー５０の内径側（内周壁５０ｂ）が、軸部材６４（外周壁６４ｂ）と接触しない。
【０１７２】
従って、スラストワッシャー５０の内径側（内周壁５０ｂ）と、軸部材６４（外周壁６４ｂ）が、摩耗損傷するのを防止することができ、摩耗粉の発生を抑制することができる。
【０１７３】
また、摩耗粉が、回転羽根部材１２と軸部材（シャフト）６４の間の摺動部に入り込むことがなく、耐久性、作動性、に優れ、異音が発生することがなく、静音性に優れるとともに、所期の目的とするポンプ性能を保持することが可能である。
【０１７４】
なお、上記実施例１〜実施例４の遠心ポンプ１０において、スラストワッシャー５０が、摺動性物質を含んでいても良い。
【０１７５】
すなわち、スラストワッシャー５０自体を、例えば、ＰＴＦＥ樹脂などのフッ素樹脂など摺動性の良い樹脂から構成しても良い。
【０１７６】
また、スラストワッシャー５０に、例えば、ＰＴＦＥ樹脂などのフッ素樹脂、カーボンなどの摺動性の良い物質を含有させた樹脂から構成することもできる。
【０１７７】
さらに、スラストワッシャー５０を、金属製のスラストワッシャー５０として、例えば、ＰＦＡ樹脂、ＰＴＦＥ樹脂などのフッ素樹脂、カーボンなどの摺動性の良い物質で被覆することも可能である。
【０１７８】
このように構成することによって、スラストワッシャー５０の摺動性が向上して、回転羽根部材１２の摺動性が向上して、静音性が向上する。
【０１７９】
また、スラストワッシャー５０の内径側（内周壁５０ｂ）と、軸部材６４（外周壁６４ｂ）が摩耗損傷するのを防止することができ、摩耗粉の発生を抑制することができる。
【０１８０】
また、摩耗粉が、回転羽根部材１２と軸部材（シャフト）６４の間の摺動部に入り込むことがなく、耐久性、作動性、に優れ、異音が発生することがなく、静音性に優れるとともに、所期の目的とするポンプ性能を保持することが可能である。
（実施例５）
【０１８１】
図１１は、本発明の遠心ポンプを用いた冷却システム３００実施例を示す概略図である。
【０１８２】
この実施例の冷却システム３００で用いられる遠心ポンプ１０は、図１〜図１０に示した実施例の遠心ポンプ１０と基本的には同様な構成である。
【０１８３】
この実施例の冷却システム３００は、図１１に示したように、被冷却物体を冷却するための熱媒体循環経路３０２を備えた冷却システム３００において、熱媒体循環経路３０２に遠心ポンプ１０を配設した構成である。
【０１８４】
すなわち、この実施例の冷却システム３００は、熱媒体循環経路３０２に、遠心ポンプ１０を備えており、熱媒体が、この遠心ポンプ１０によって、例えば、水などの熱媒体が熱媒体循環経路３０２ａを介して、ラジエータ３０４に送られるようになっている。
【０１８５】
ラジエータ３０４では、図示しないが、例えば、ファンなどによる空冷、水冷などによって、熱媒体が冷却されるようになっている。
【０１８６】
そして、このラジエータ３０４を通過して冷やされた熱媒体が、熱媒体循環経路３０２ｂ、３０２ｃを介して、熱交換器３０６に送られるようになっている。この熱交換器３０６には、冷却される被冷却物体３０８が付設されており、被冷却物体３０８の熱が、熱媒体に熱交換されて、被冷却物体３０８が冷却されるとともに、熱媒体が温められるようになっている。
【０１８７】
そして、熱交換器３０６を通過することにより温められた熱媒体が、熱媒体循環経路３０２ａ、３０２ｂを介して、再び、遠心ポンプ１０に循環されるようになっている。
そして、このような循環冷却サイクルが繰り返し行われるように構成されている。
【０１８８】
このように構成することによって、例えば、流体の循環を利用して発熱部品、機器などの冷却を補助するシステムに使用した場合に、耐久性、作動性に優れ、異音が発生することがなく、静音性に優れた冷却システムを提供することができる。
【０１８９】
以上、本発明の好ましい実施の態様を説明してきたが、本発明はこれに限定されることはなく、例えば、上記実施例では、本体ケース３４、上側本体ケース３６、下側本体ケース４８、羽根ケース６８、回転羽根部材１２、スラストワッシャー５０、軸部材６４などの材質は、金属製であっても樹脂製であっても良く、用途に応じて適宜選択すればよく、特に限定されるものではない。
【０１９０】
また、上記実施例では、軸部材６４が、軸部材６４の軸方向のロータマグネット３２側の端部において軸固定部材６０で固定されている、いわゆる「片持ち形式」について説明した。
しかしながら、図示しないが、上側の軸固定部材に形成された軸穴に軸部材６４の上端部が、軸支されるように固定されている、すなわち、いわゆる「両持ち形式」の遠心ポンプにおいて、回転羽根部材と上側の軸固定部材との間に介装されたスラストワッシャーに、本発明の接触防止機構を適用することも可能である。
【０１９１】
さらに、上記実施例では、吸込側継手部材４２、吐出側継手部材４６の数をそれぞれ１個としたが、吸込側継手部材４２、吐出側継手部材４６の数を複数個設けることも可能であるなど本発明の目的を逸脱しない範囲で種々の変更が可能である。
【産業上の利用可能性】
【０１９２】
本発明は、例えば、エアコン、冷凍機などの冷媒循環回路に用いられる冷媒、発熱する部品や機器などの冷却循環回路に用いられる冷却水など、閉回路内で流体を循環させるための遠心ポンプ、および、遠心ポンプを用いた冷却システムに適用することができる。
【符号の説明】
【０１９３】
１０    遠心ポンプ
１２    回転羽根部材
１２ａ    下端部
１２ｂ    外周
１４    軸受け部
１４ａ    上端部
１６    羽根車部材
１８    基端部分
２０    拡径部
２２    外側羽根部
２４    コイル部
２６    ボビンケース
２８    巻線
３０    コイル
３１    コイル側固定突出部
３２    ロータマグネット
３３    コイルカバー本体
３４    本体ケース
３５    コネクタ
３６    上側本体ケース
３７    リード線
３８    頂壁
４０    側周壁
４２    吸込側継手部材
４６    吐出側継手部材
４８    下側本体ケース
５０    スラストワッシャー
５０ａ    内径側
５０ａ    外周壁
５０ｂ    内周壁
５０ｃ    リング
５１    下端
５２    外周フランジ
５４    羽根収容部
５６    ロータマグネット収容部
５８    軸固定部材収容部
６０    軸固定部材
６０ａ    上端部
６０ｂ    外周
６２    軸穴
６４    軸部材
６４ｂ    外周壁
６４ｃ    固定用溝
６６    下端部
６８    羽根ケース
７０    外周フランジ
７２    側周壁
７４    延設部
７６    内周側開口部
７８    接触防止機構
８０    嵌合用凹部
８０ａ    内周壁
８４    流体導入流路
８６    突設係止片
８８    突設係止部
９０    固定係止手段
９６    本体ケース側固定金具
１００    遠心ポンプ
１０２    回転羽根部材
１０２ａ    下端部
１０４    軸受け部
１０６    羽根車部材
１０８    基端部分
１１０    拡径部
１１２    外側羽根部
１２２    ロータマグネット
１２４    本体ケース
１２６    上側本体ケース
１２８    頂壁
１３０    側周壁
１３２    吸込側継手部材
１３６    吐出側継手部材
１３８    下側本体ケース
１４１    下端
１４２    外周フランジ
１４４    羽根収容部
１４６    ロータマグネット収容部
１４８    軸固定部材収容部
１５０    軸固定部材
１５０ａ    上端部
１５２    軸穴
１５４    軸部材
１５４ｂ    外周壁
１５６    下端部
１５８    羽根ケース
１６０    外周フランジ
１６２    側周壁
１６４    延設部
１６４ａ    内周側開口部
１７４    流体導入流路
１８６    本体ケース側固定金具
２０４    コイル部
２０６    ボビンケース
２０８    巻線
２１０    コイル
２１４    コイルカバー本体
２１６    コイル側固定突出部
２２６    コネクタ
２２８    リード線
２３０    スラストワッシャー
２３０ａ    内径側
３００    冷却システム
３０２    熱媒体循環経路
３０２ａ、３０２ｂ、３０２ｃ    熱媒体循環経路
３０４    ラジエータ
３０６    熱交換器
３０８    被冷却物体
Ｌ１    間隙
Ｌ２    間隙
Ｓ１    内部空間
Ｓ２    回転部収容空間
【図１】
2017106398.tif 000003
【図２】
2017106398.tif 000004
【図３】
2017106398.tif 000005
【図４】
2017106398.tif 000006
【図５】
2017106398.tif 000007
【図６】
2017106398.tif 000008
【図７】
2017106398.tif 000009
【図８】
2017106398.tif 000010
【図９】
2017106398.tif 000011
【図１０】
2017106398.tif 000012
【図１１】
2017106398.tif 000013
【図１２】
2017106398.tif 000014
【図１３】
2017106398.tif 000015
【図１４】
2017106398.tif 000016
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
羽根車部材と羽根車部材に設けられたロータマグネットとから構成される回転羽根部材と、
前記回転羽根部材を収容する本体ケースと、
前記ロータマグネットの周囲に位置するように配置され、回転羽根部材を回転させるコイル部と、
前記本体ケースに設けられ、回転羽根部材がその周囲を回転するように軸支される軸部材と、
前記軸部材の軸方向の端部に配置され、軸部材の端部を固定する軸固定部材と、
前記回転羽根部材と軸固定部材との間に介装されたスラストワッシャーと、
を備えた遠心ポンプであって、
前記スラストワッシャーの内径側が、軸部材と接触し摩耗損傷するのを防止する接触防止機構を備えることを特徴とする遠心ポンプ。
【請求項２】
前記接触防止機構が、
前記スラストワッシャーを嵌合する嵌合用凹部を備え、
前記嵌合用凹部の内径をＤ１、スラストワッシャーの外径をＤ２、スラストワッシャーの内径をＤ３、軸部材の外径をＤ４とした時に、
前記スラストワッシャーの外周壁と嵌合用凹部の内周壁との間の間隙Ｌ１（Ｄ１−Ｄ２）と、
前記スラストワッシャーの内周壁と軸部材の外周壁との間の間隙Ｌ２（Ｄ３−Ｄ４）との関係が、
Ｌ１＜Ｌ２の関係となるように設定されていることを特徴とする請求項１に記載の遠心ポンプ。
【請求項３】
前記嵌合用凹部が、軸固定部材に設けられていることを特徴とする請求項２に記載の遠心ポンプ。
【請求項４】
前記嵌合用凹部が、回転羽根部材に設けられていることを特徴とする請求項２に記載の遠心ポンプ。
【請求項５】
前記接触防止機構が、スラストワッシャーの外径側において、スラストワッシャーの外周壁から軸方向に突設するように延設され、スラストワッシャーを固定する突設係止片であることを特徴とする請求項１に記載の遠心ポンプ。
【請求項６】
前記突設係止片が、スラストワッシャーの外周壁から、軸方向に軸固定部材側に突設され、軸固定部材に係止するように構成されていることを特徴とする請求項５に記載の遠心ポンプ。
【請求項７】
前記突設係止片が、スラストワッシャーの外周壁から、軸方向に回転羽根部材側に突設され、回転羽根部材に係止するように構成されていることを特徴とする請求項５に記載の遠心ポンプ。
【請求項８】
前記接触防止機構が、スラストワッシャーの内径側において、軸方向に突設するように形成され、スラストワッシャーを固定する突設係止部であることを特徴とする請求項１に記載の遠心ポンプ。
【請求項９】
前記突設係止部が、スラストワッシャーの内径側から軸方向に、軸固定部材から突設された突設係止部から構成されていることを特徴とする請求項８に記載の遠心ポンプ。
【請求項１０】
前記突設係止部が、スラストワッシャーの内径側から軸方向に、回転羽根部材から突設された突設係止部から構成されていることを特徴とする請求項８に記載の遠心ポンプ。
【請求項１１】
前記接触防止機構が、スラストワッシャーの内径側を軸部材に直接固定係止する固定係止手段であることを特徴とする請求項１に記載の遠心ポンプ。
【請求項１２】
前記スラストワッシャーが、摺動性物質を含むことを特徴とする請求項１から１１のいずれかに記載の遠心ポンプ。
【請求項１３】
請求項１から１２のいずれかに記載の遠心ポンプを用いた冷却システムであって、
被冷却物体を冷却するための熱媒体循環経路を備えた冷却システムにおいて、熱媒体循環経路に遠心ポンプを配設したことを特徴とする遠心ポンプを用いた冷却システム。
【手続補正２】
【補正対象書類名】図面
【補正対象項目名】図１４
【補正方法】変更
【補正の内容】
【図１４】
2017106398.tif 000017